(57)【要約】  本発明は、ＬＥＤを用いた間接照明装置に関し、壁面（１）の上部側周縁に沿って設けられ、壁面の反対側に光放出口（１１）を有するケース部（１０）と、前記ケース部（１０）の内側底面の最も内側に設けられるＬＥＤ（２１）の実装された基板（２０）と、前記ＬＥＤ（２１）の放出光を反射させて、前記光放出口（１１）を通して天井に配光する配光部（３０）と、前記ケース部（１０）の光放出口（１１）を覆う蓋部（４０）とを含む。本発明は、壁面に固定設置されて簡単な構造を用いながらも、天井全体を選択的に照明可能な配光を提供して、主照明またはムード照明に使用できる効果がある。【選択図】  図３
2017519344.tif 000002
【特許請求の範囲】
【請求項１】
壁面（１）に設けられ、壁面の反対側に光放出口（１１）を有するケース部（１０）と、
前記ケース部（１０）の内側底面の最も内側に設けられるＬＥＤ（２１）の実装された基板（２０）と、
前記ＬＥＤ（２１）の放出光を反射させて、前記光放出口（１１）を通して天井に配光する配光部（３０）と、
前記ケース部（１０）の光放出口（１１）を覆う蓋部（４０）とを含むＬＥＤを用いた間接照明装置。
【請求項２】
前記配光部（３０）は、
前記ＬＥＤ（２１）の光を天井に配光するように下部側が凹んだ曲率の板であることを特徴とする請求項１に記載のＬＥＤを用いた間接照明装置。
【請求項３】
前記配光部（３０）は、
前記ＬＥＤ（２１）の光を天井に配光するように下部側が凹んだ板であり、相互傾斜度または曲率が異なる分割領域を含むことを特徴とする請求項１に記載のＬＥＤを用いた間接照明装置。
【請求項４】
前記ＬＥＤ（２１）を実装した基板（２０）は、
前記ケース部（１０）の光放出口（１１）から遠い位置の内側底面（１２）に設けられたことを特徴とする請求項１〜３のいずれか１項に記載のＬＥＤを用いた間接照明装置。
【請求項５】
前記ＬＥＤ（２１）を実装した基板（２０）には直流電源が供給されるが、
調整器（５０）を介して直流電源を調整して、前記ＬＥＤ（２１）のディミング制御および／または色温度の制御が可能であることを特徴とする請求項４に記載のＬＥＤを用いた間接照明装置。
【請求項６】
前記ケース部（１０）は、
内部が中空であり、一面が開放されて光放出口（１１）として設けられる六面体で備えられたことを特徴とする請求項１に記載のＬＥＤを用いた間接照明装置。
【発明の詳細な説明】
【技術分野】
【０００１】
本発明は、ＬＥＤを用いた間接照明装置に関し、より詳細には、ムード灯と天井間接照明に使用できるＬＥＤを用いた間接照明装置に関する。
【背景技術】
【０００２】
一般的に、既存の光源手段が抱えている高電力消費、短い寿命などの問題を考慮して、ＬＥＤを光源に用いる照明装置が開発されている。ＬＥＤを光源に用いる場合、照明装置の寿命が既存の光源に比べて格段に増加するため、廃棄物の放出量が著しく減少して環境汚染を防止することができ、低電力消耗によるエネルギー節約にも寄与することができると期待している。
【０００３】
しかし、ＬＥＤは、点状の光源であり、これを眩しさのない光源に用いるためには、面発光が可能な構造としなければならず、通常は、室内照明のために天井に取付設置される。
【０００４】
このような照明は直接照明と称し、天井や壁面に光を照射し、その反射光で室内を照明するものが間接照明である。
【０００５】
従来のＬＥＤを用いた間接照明装置の例として、大韓民国登録特許第１０−１０１５２５７号（２０１１年２月９日登録、ＬＥＤを用いた間接照明装置用灯器具）がある。
【０００６】
前記登録特許に記載された間接照明装置用灯器具は、断面が弧状の本体と、本体内部のＰＣＢ基板と、本体の角度を調整可能な固定ブラケットと、天井または壁に埋込み設置される連結フレームの側壁と面接触をなす接着部材とから構成される。
【０００７】
すなわち、壁や天井の一部に連結フレームが埋込み設置され、その連結フレーム内で接着部材によって固定される固定ブラケットを用いてバー状のＬＥＤ照明部（本体）を支持する構成である。
【０００８】
このような従来の間接照明装置は、基本的に壁面に埋込んで設けるものであるため、壁面の一部にのみ設けるしかなく、したがって、間接照明装置は、直接照明のある室内で雰囲気の演出や照度の低い照明が必要な時に使用するものであった。
【０００９】
すなわち、主照明とは別個に設けられなければならず、したがって、照明装置の設置費用が増加する問題があり、現在、市場では１つの照明でムード灯と主照明に活用できる照明装置が要求されている。
【発明の概要】
【発明が解決しようとする課題】
【００１０】
上記の問題に鑑みて本発明が解決しようとする課題は、１つの照明装置を用いて、必要に応じてムード照明または主照明に使用できるＬＥＤを用いた間接照明装置を提供することである。
【００１１】
また、本発明は、より簡単な構造を用いながらも、室内面積に関係なく主照明を提供できるＬＥＤを用いた間接照明装置を提供する。
【課題を解決するための手段】
【００１２】
上記の課題を解決するための、本発明のＬＥＤを用いた間接照明装置は、壁面の上部側周縁に沿って設けられ、壁面の反対側に光放出口を有するケース部と、前記ケース部の内側底面の最も内側に設けられるＬＥＤの実装された基板と、前記ＬＥＤの放出光を反射させて、前記光放出口を通して天井に配光する配光部と、前記ケース部の光放出口を覆う蓋部とを含む。
【発明の効果】
【００１３】
本発明のＬＥＤを用いた間接照明装置は、壁面に固定設置されて簡単な構造を用いながらも、天井全体を選択的に照明可能な配光を提供して、主照明またはムード照明に使用できる効果がある。
【図面の簡単な説明】
【００１４】
【図１】本発明の好ましい実施形態に係るＬＥＤを用いた間接照明装置の設置状態図である。
【図２】本発明の好ましい実施形態に係るＬＥＤを用いた間接照明装置の分解斜視図である。
【図３】本発明の好ましい実施形態に係るＬＥＤを用いた間接照明装置の断面構成図である。
【図４】本発明のＬＥＤを用いた間接照明装置の配光模式図である。
【図５】本発明の他の実施形態に係るＬＥＤを用いた間接照明装置の配光部の断面構成図である。
【発明を実施するための形態】
【００１５】
以下、本発明のＬＥＤを用いた間接照明装置について、添付した図面を参照して詳細に説明する。
【００１６】
図１は、本発明の好ましい実施形態に係るＬＥＤを用いた間接照明装置の設置状態図であり、図２は、本発明のＬＥＤを用いた間接照明装置の分解斜視図であり、図３は、本発明の断面構成図である。
【００１７】
図１〜図３をそれぞれ参照すれば、本発明の好ましい実施形態に係るＬＥＤを用いた間接照明装置は、壁面１の上部側周縁に沿って設けられ、壁面の反対側に光放出口１１を有するケース部１０と、前記ケース部１０の内側底面の最も内側に設けられるＬＥＤ２１の実装された基板２０と、前記ＬＥＤ２１の放出光を反射させて、前記光放出口１１を通して天井に配光する配光部３０と、前記ケース部１０の光放出口１１を覆う蓋部４０とを含んで構成される。
【００１８】
以下、このように構成される本発明の好ましい実施形態に係るＬＥＤを用いた間接照明装置の構成と作用についてより詳細に説明する。
【００１９】
まず、ケース部１０は、長さが長い中空六面体の箱体であり、壁面１の上部側に接して設けられる。前記ケース部１０は、光放出口１１が壁面１の反対側を向くように設けられる。
【００２０】
ケース部１０の設置位置は、壁面１と天井との接する上部側角が接するか、天井から５〜１５ｃｍ下の壁面１に設けられることが好ましい。
【００２１】
前記ケース部１０の設置位置は、ＬＥＤ２１の光が前記光放出口１１を通して配光されて天井を照らすのに容易な位置となる。
【００２２】
複数の前記ケース部１０を天井周縁の壁面１全体に設けることができ、一側を除いた３面の壁面１に設けることができる。本実施形態において、前記ケース部１０が六面体であることを例として説明するが、これに限定されるものではなく、多様な形状に実現される。ただし、六面体で実現することが製造費用および製造容易性の面で最も容易に実現することができる。
【００２３】
複数の前記ＬＥＤ２１は、基板２０に実装されており、その基板２０は、前記ケース部１０の内側底面１２に固定設置されるが、最も内側に位置するように設けられる。
【００２４】
このように、ＬＥＤ２１の実装された基板２０を最も内側に設ける理由は、天井への配光を容易にするだけでなく、ＬＥＤ２１の光が直接使用者の目に当たると、当該部分のみ明るく見えるようになるため、ＬＥＤ２１の光が直接目に当たることを避けるためである。
【００２５】
前記基板２０には壁面１に埋込まれた直流電源が供給され、壁面１に設けられて直流電源を調整する調整器５０が備えられている。前記調整器５０を介して直流電源の供給を調整して、前記ＬＥＤ２１のディミング制御および／または色温度の調整が可能になる。
【００２６】
このように、ＬＥＤ２１を調整して天井全体を配光領域として主照明に用いるか、壁面１に隣接した天井の一部を利用してムード照明を提供することができる。
【００２７】
前記ＬＥＤ２１から放出された光は、断面が円弧状の配光部３０に反射して、前記光放出口１１を通して天井に放出される。
【００２８】
前記配光部３０の底面は反射面であり、所定の曲率で曲がった形態であり、その曲率によって天井に光を放出する配光パターンが作られる。
【００２９】
前記配光部３０の下端は前記ケース部１０の内側垂直面１３の下端に固定され、上端は前記光放出口１１の上端側ケース部１０に固定される。
【００３０】
すなわち、配光部３０は、図３の断面上、ケース部１０の対角線方向に配置され、下部が凹むように所定の曲率を有する円弧状となる。
【００３１】
図４は、本発明のＬＥＤを用いた間接照明装置の配光模式図である。
【００３２】
図４を参照すれば、本発明のＬＥＤを用いた間接照明装置は、配光が天井に広く広がって天井配光され、その天井に配光された光は再反射して室内を間接照明する。
【００３３】
これをより具体的に説明すれば、前記基板２０に実装された複数のＬＥＤ２１から放出された光は前記配光部３０に反射し、その反射した光の一部は直接光放出口１１を通して天井に配光され、反射した光の他の一部は再びケース部１０の内側底面１２に反射して天井に配光されるか、再び配光部３０を通して反射して天井に配光される。
【００３４】
前記天井に配光されたＬＥＤ２１の光は再反射して室内に反射して室内を照明する。
【００３５】
前記調整器５０を介してＬＥＤ２１の明るさを明るく調整すると、前記天井に配光される光の明るさもより明るくなり、間接照明の本発明を主照明に用いることができる。
【００３６】
また、調整器５０でＬＥＤ２１の光をより暗く調整すると、壁面１と近い天井の端と天井の中央部に配光される光量の差が明確に現れ、壁面１と近い天井部分にのみ配光されるムード照明を提供することができる。
【００３７】
図５は、本発明の他の実施形態に係るＬＥＤを用いた間接照明装置の配光部３０の断面構成図である。
【００３８】
図５を参照すれば、配光部３０は、側面からみて、相互曲率が異なる複数の分割領域Ｐ１〜Ｐ５を含んでおり、各分割領域Ｐ１〜Ｐ５それぞれの曲率と角度によって天井から配光をより遠く形成することができ、したがって、天井の中央部にも容易に光を到達させることができる。
【００３９】
前記分割領域Ｐ１〜Ｐ５は、それぞれが曲面であってもよいし、傾斜した平坦な面であってもよい。
【００４０】
再び図４を参照すれば、前記蓋部４０は、透明な板であり、先に説明したように、ＬＥＤ２１の位置と、配光部３０の構造によってＬＥＤ２１の光が直接配光されることを防止して、外部から見た時に眩しさが発生しなくなるため、面発光のためのレンズを用いなくても照明が可能になる。したがって、光効率の低下を防止することができる。
【００４１】
本発明は、上記の実施形態に限定されず、本発明の技術的要旨を逸脱しない範囲内で多様に修正、変形して実施できることは、本発明の属する技術分野における通常の知識を有する者にとって自明である。
【図１】
2017519344.tif 000003
【図２】
2017519344.tif 000004
【図３】
2017519344.tif 000005
【図４】
2017519344.tif 000006
【図５】
2017519344.tif 000007
【国際調査報告】
2017519344.tif 000008
2017519344.tif 000009
2017519344.tif 000010
2017519344.tif 000011